(57)【要約】【課題】  同一のリモートコントローラによって、異なる種類のリモート装置と同一種類の複数のリモート装置を制御できるようにする。【解決手段】  異なる種類のリモート装置を制御するための、そして同一種類の複数のリモート装置を制御するためのシングルバンドリモートコントローラ１であって、そのリモートコントローラ１は、複数の周波数グループに分割された複数のコントロールキー１３を有する。同一の周波数グループのコントロールキー１２は、同一の周波数で異なる識別データを有する制御信号を発生して送信するために動作する。また、異なる周波数グループのコントロールキー１３は、同一の周波数バンド内で異なる周波数を有する制御信号を発生するために動作する。したがって、異なる種類のリモート装置と同一種類の複数のリモート装置は同一のリモートコントローラによって制御されることができる。【選択図】            図１
2006203617.tif 000002
【特許請求の範囲】
【請求項１】
複数のグループのリモート装置を制御するために、コントロールパネル上に複数のコントロールキーが備えられたリモートコントローラを用いて、それらをリモートコントロールする方法であって、
特定の周波数で識別データを送信する制御信号を発生させるために、少なくとも１つのコントロールキーを押す段階と、
適合するグループを検出するために、リモート装置のグループの動作周波数で制御信号の周波数を比較する段階と、
適合するリモート装置を検出するために、適合するグループのリモート装置の識別データを比較する段階と、
適合するリモート装置を始動、不始動とする段階と、
を含むことを特徴とするリモート装置をリモートコントロールする方法。
【請求項２】
さらに、
シングル周波数バンド内において異なる周波数の制御信号を発生させる動作をさせるために、コントロールキーを複数のグループに分割する段階を含むことを特徴とする請求項１に記載のリモート装置をリモートコントロールする方法。
【請求項３】
さらに、
リモート装置の１つ１つを制御するために、リモートコントローラのコントロールキーのそれぞれを適するように構成する段階を含むことを特徴とする請求項１に記載のリモート装置をリモートコントロールする方法。
【請求項４】
複数のグループのリモート装置を遠隔制御する方法であって、
複数のコントロールキーを備えた少なくとも１つのリモートコントローラを準備する段階と、
コントロールキーを、リモート装置のそれぞれのグループの１つが動作できる周波数で制御信号を発生させるために、およびそれぞれのグループのリモート装置の１つの識別データに適合する識別データを発生させるために、それぞれ複数の周波数グループに分割する段階と、
少なくとも１つのコントロールキーを少なくとも１つのリモート装置を制御するために押す段階と、
を含むことを特徴とするリモート装置を遠隔制御する方法。
【請求項５】
リモートコントローラはシングル周波数バンドを有すると共に、リモート装置の動作周波数は当該シングル周波数バンド内であることを特徴とする請求項４に記載のリモート装置を遠隔制御する方法。
【請求項６】
少なくとも、
異なる周波数で制御信号を発生させるために複数の周波数グループに分割された複数のコントロールキーを備えた、１つのシングルバンドリモートコントローラを備え、
それぞれの周波数グループは異なる識別データの制御信号を発生させるための複数のコントロールキーを含み、
複数のリモート装置のそれぞれはコントロールキーのそれぞれ１つによって制御されることを特徴とするリモートコントロールシステム。
【請求項７】
異なる周波数のグループによって発生される制御信号は、シングル周波数バンド内における異なる周波数であることを特徴とする請求項６に記載のリモートコントロールシステム。
【請求項８】
同一区分のリモート装置は同一の周波数グループのコントロールキーによって制御されることを特徴とする請求項６に記載のリモートコントロールシステム。
【発明の詳細な説明】
【技術分野】
【０００１】
本発明は、シングルバンドリモートコントロール方法、複数の周波数グループの装置のためのリモートコントロール装置に係り、さらに詳細には、異なる種類のリモート装置または同一種類の複数の装置の通信のために異なる周波数の制御信号と識別データを発生させる、複数の周波数グループに分割された複数のコントロールキーを含むリモートコントローラを用いることである。
【背景技術】
【０００２】
ワイヤレス送信技術の先進的な発達、たとえば、一般的なリモートコントロール、ワイヤレスキーボード及び無線周波数（ＲＦ）ワイヤレス送信は、家庭用の設備のデジタル制御から始まった。リモートコントロールは、たとえば家庭用デジタル機器、コンピュータ、ドアや窓の開閉システム、セキュリティシステム及び様々な場所のモニターシステムなど、多様なリモート装置の制御に用いることができる。
【０００３】
一般的なリモートコントロールは、特定の距離内でリモート装置を制御するために、所望の周波数バンド内で動作する。市場で市販されているすべてのリモートコントロールは、異なる識別データを持つ様々なリモート装置、たとえばテレビやＤＶＤプレーヤーを直接制御するために、また特定の周波数の範囲で動作する。また、識別データまたはコードは、それぞれのコントロールキーがリモート装置の制御を行う範囲内で、対応するコントロールキーに割り当てられる。しかし、一般的なリモートコントロール装置は制限された数の異なる電気製品をリモートコントロールすることだけができる。たとえば、テレビのような同種の電気製品であってもそれらを同一のリモートコントローラでは制御することができない。したがって、１つ以上のリモートコントローラが同時に使用される場合には、信号の干渉が避けられない。
【発明の開示】
【発明が解決しようとする課題】
【０００４】
本発明は、上記のような一般的なリモートコントローラの欠点を解決するために成されたものであり、異なる種類のリモート装置と同一種類の複数のリモート装置を制御することができる、リモート装置をリモートコントロールする方法、リモート装置を遠隔制御する方法およびリモートコントロールシステムの提供を目的とする。
【０００５】
本発明においては、異なる種類のリモート装置を制御するために、そして同一種類の複数のリモート装置を制御するために、シングルバンドリモートコントローラが設計された。リモートコントローラは、複数の周波数グループに分割された複数のコントロールキーを含む。同一の周波数グループのコントロールキーは、同一周波数で異なる識別データの制御信号を発生させ、送信させるために動作し、異なる周波数グループのコントロールキーは、同一周波数バンド内で異なる周波数の制御信号を発生させるために動作する。そのため、異なる種類のリモート装置または同一種類の複数のリモート装置が同一のリモートコントローラによって制御することができる。
【０００６】
したがって、リモートコントローラは、複数の周波数グループに分割された複数のコントロールキーを有する。同一の周波数グループのコントロールキーは、同一の周波数で異なる識別データを有する制御信号を発生して送信するために動作する。また、異なる周波数グループのコントロールキーは、同一の周波数バンド内で異なる周波数を有する制御信号を発生するために動作する。したがって、異なる種類のリモート装置と同一種類の複数のリモート装置は同一のリモートコントローラによって制御されることができる。
【課題を解決するための手段】
【０００７】
上記目的を達成するための本発明に係るリモート装置をリモートコントロールする方法は、複数のグループのリモート装置を制御するために、コントロールパネル上に複数のコントロールキーが備えられたリモートコントローラを用いて、それらをリモートコントロールする方法であって、特定の周波数で識別データを送信する制御信号を発生させるために、少なくとも１つのコントロールキーを押す段階と、適合するグループを検出するために、リモート装置のグループの動作周波数を有する制御信号の周波数を比較する段階と、適合するリモート装置を検出するために、適合するグループのリモート装置の識別データを比較する段階と、適合するリモート装置を始動、不始動とする段階と、を含むことを特徴とする。
【０００８】
また、上記目的を達成するための本発明に係るリモート装置を遠隔制御する方法は、複数のグループのリモート装置を遠隔制御する方法であって、複数のコントロールキーを備えた少なくとも１つのリモートコントローラを準備する段階と、コントロールキーを、リモート装置のそれぞれのグループの１つが動作できる周波数で制御信号を発生させるために、およびそれぞれのグループのリモート装置の１つの識別データに適合する識別データを発生させるために、それぞれ複数の周波数グループに分割する段階と、少なくとも１つのコントロールキーを少なくとも１つのリモート装置を制御するために押す段階と、を含むことを特徴とする。
【０００９】
さらに、上記目的を達成するための本発明に係るリモートコントロールシステムは、少なくとも、異なる周波数で制御信号を発生させるために複数の周波数グループに分割された複数のコントロールキーを備えた、１つのシングルバンドリモートコントローラを備え、それぞれの周波数グループは異なる識別データの制御信号を発生させるための複数のコントロールキーを含み、複数のリモート装置のそれぞれはコントロールキーのそれぞれ１つによって制御されることを特徴とする。
【発明の効果】
【００１０】
以上のように構成された本発明によれば、信号の干渉を起こすことなく、同一のリモートコントローラによって、異なる種類のリモート装置と同一種類の複数のリモート装置を制御することができるようになる。
【発明を実施するための最良の形態】
【００１１】
次に、本発明に係るリモート装置をリモートコントロールする方法、リモート装置を遠隔制御する方法およびリモートコントロールシステムの一実施形態を図面に基づいて詳細に説明する。
【００１２】
図１は、シングル周波数バンドを有するリモート装置２、２’および２”のグループを制御するためのリモートコントローラ１を含むリモートコントロールシステムを示す図である。
【００１３】
リモートコントローラ１はＲＦ信号送信装置、ワイヤレスキーボード、またはそれぞれリモート装置２１、２２及び２３（図２参照）からなるリモート装置グループ２、２’および２”を制御するための制御信号を発生させる特定のリモートコントローラを含む。それぞれのリモート装置グループ２、２’および２”は複数のリモートコントローラから構成される。たとえば、グループ２は、同一種類のリモート装置２１、２２及び２３から構成される。リモートコントローラ１は、メインボディー１１とメインボディー１１のコントロールパネル上に配置された複数のコントロールキー１２を有している。コントロールキー１２は複数のコントロールキー１３をそれぞれ含んでいる複数のグループに分割される。一例である図２に示すように、コントロールパネルは３つの周波数グループ１５、１６および１７用のコントロールキー１３を含み、それぞれリモートコントローラ１のシングル周波数バンド内の特定の周波数で動作する。
【００１４】
リモートコントローラ１によって送信される制御信号は周波数グループ１５、１６および１７のいずれかにおいて、コントロールキー１３によって発生させることができ、それぞれの制御信号は所望の周波数および識別データ（ＩＤ）からなる。周波数グループ１５、１６および１７はリモートコントローラ１のシングル周波数バンド内において３つの異なる周波数で制御信号を発生させるために動作する。周波数グループ１５、１６および１７によって送信される制御信号は、リモート装置２、２’および２”のグループによってそれぞれ受信される。１実施形態では、同一の周波数を有する同一の周波数グループ１５のコントロールキー１３によって発生される制御信号であるが、異なる識別データで制御信号がエンコードされることによって、制御信号は同一グループ２の異なるリモート装置２１、２２及び２３の識別と制御に使用することができる。この方法では、シングル周波数バンドを有するシングルリモートコントローラ１が異なる種類のリモート装置と同一種類のリモート装置の制御に使用することができる。
【００１５】
リモート装置２１、２２及び２３用の識別コードは、コントロールキー１２とソフトウェアによってランダムに発生され、それぞれのコントロールキー１２には特定のリモート装置を制御するための特定の識別データがプリセットされる。
【００１６】
上記のように、リモートコントローラによって制御されるリモート装置は複数のグループ２、２’および２”に分割され、それぞれが特定の周波数で動作するリモート装置２１、２２及び２３を有している。
【００１７】
図３はリモートコントローラ１によって制御されるリモート装置２、２’および２”のグループをリモートコントロールする動作プロセスを示している。
【００１８】
ステップ３００において、複数のコントロールキーグループを含むリモートコントローラ１が準備され、コントロールキー１２の１つが制御信号を発生し送信するために押される。
【００１９】
ステップ３０２において、制御信号は制御信号のそれと同一の周波数で操作が可能なリモート装置グループ２、２’および２”の１つによって受信される。識別データはそのときにステップ３０４において、リモート装置１５、１６および１７の操作可能なグループのあらかじめプログラムされたか作られたかした識別データと比較される。ステップ３０６において、識別データと適合した制御信号を持つリモート装置１５、１６および１７はステップ３０６において始動される。
【００２０】
適合しない識別データがリモート装置１５、１６および１７から検出されたときには、代わりにステップ３０６において適合するリモート装置を始動させ、リモート装置１５、１６および１７がステップ３０８で不始動とされる。
【００２１】
図３に示されている動作プロセスに加えて、複数のグループ２、２’および２”内のリモート装置１５、１６および１７は同時に１つ以上のコントロールキー１２が押されることによって一斉に動作させることができる。
【００２２】
図４に示される一例において、二つのリモートコントローラ１と１’はリモート装置２、２’および２”のグループを制御するために動作する。それは、ステップ４００において、リモートコントローラ１と１’のいずれかのコントロールキー１２を押すことによって、制御信号が発生され、そしてグループ２、２’および２”のリモート装置に送信される。ステップ４０２において、制御信号のそれと同一の操作可能な周波数をいずれかのグループのリモート装置２、２’および２”が持っていれば、制御信号によって送信される識別データがステップ４０４において適合グループのリモート装置２１、２２及び２３の識別データと比較される。制御信号の識別データがリモート装置２１、２２及び２３のいずれかに適合していれば、適合した装置はステップ４０６において始動される。適合したグループのリモート装置２１、２２及び２３から適合する識別データがみつからなければ、適合したグループのすべてのリモート装置がステップ４０８において不始動とされる。
【００２３】
図５において、二つのリモートコントローラ１と１’はリモート装置２、２’、２”および３、３’、３”のグループをそれぞれ制御するために使用される。この例においては、リモートコントローラ１と１’はそれぞれ異なる二つのバンドにおいて異なる周波数でリモート装置のグループ２、２’、２”および３、３’、３”を制御するための異なる周波数バンドを有している。それぞれのグループ２、２’、２”は同一の周波数で動作し異なる識別データを持つリモート装置２１、２２および２３からなり、それぞれのグループ３、３’、３”はリモート装置３１、３２および３３からなり、これも同一の周波数で動作するが異なる識別データを有している。ユーザーはしたがってリモートコントローラ１と１’のキーを押すことによって、いずれかのまたはすべてのリモート装置をリモートコントロールすることができる。ステップ５００において、リモートコントローラ１と１’のコントロールキーは制御信号を発生させるために押される。ステップ５０２において、制御信号の周波数と識別データは比較される。ステップ５０４において、適合した識別データが検出されれば、適合した識別データを持つリモート装置は、ステップ５０６において始動される。そうでなければ、すべてのリモート装置はステップ５０８において制御信号によって不始動とされる。
【００２４】
提示された本発明の好ましい実施形態は本明細書において詳しく説明されたが、発明の概念は種々具体化し利用することが可能であり、付加される請求項は従来技術によって制限されない限りにおいて種々のバリエーションを含めるために構成されることができるのはもちろんである。
【産業上の利用可能性】
【００２５】
本発明は、あらゆる分野のリモートコントロールに適用することができる。
【図面の簡単な説明】
【００２６】
【図１】リモートコントローラを示す。
【図２】リモートコントロールシステムを示す。
【図３】リモートコントロールシステムの動作プロセスを示す。
【図４】リモートコントロールシステムの他の実施態様を示す。
【図５】リモートコントロールシステムの他の実施態様を示す。
【符号の説明】
【００２７】
１、１’    リモートコントローラ、
２、２’、２”    リモート装置グループ、
３、３’、３”    リモート装置グループ、
１１    メインボディー、
１２    コントロールキー、
１３    複数のコントロールキー、
１５、１６、１７    周波数グループ、
２１、２２、２３    リモート装置。
【図１】
2006203617.tif 000003
【図２】
2006203617.tif 000004
【図３】
2006203617.tif 000005
【図４】
2006203617.tif 000006
【図５】
2006203617.tif 000007